(57)【特許請求の範囲】
【請求項１】
内視鏡挿入部を挿通するための挿通路と、前記挿通路内に複数の内蔵物を有する内視鏡用挿入補助装置に、前記内視鏡挿入部を挿通し、被検体内へ挿入する内視鏡の挿入方法であって、
前記複数の内蔵物の前記挿通路内の配列が乱れないように、前記挿通路の内径Ｄg ，前記内視鏡挿入部の外径Ｄs ，前記内蔵物の直径Ｄが、
２Ｄ≧Ｄg −Ｄs ＞Ｄ
なる関係の内視鏡用挿入補助装置に、前記内視鏡挿入部を挿通し、前記内視鏡挿入部の先端部を、前記内視鏡挿入補助装置の先端部より突出させた状態で、被検体内へ挿入することを特徴とする内視鏡の挿入方法。
【発明の詳細な説明】
【０００１】
【産業上の利用分野】
本発明は、内視鏡の使用時における挿入を補助するもので、細長の本体内部に内視鏡の挿入部を挿通して内視鏡先端部を観察部位まで導くための内視鏡用挿入補助装置を用いた内視鏡の挿入方法に関する。
【０００２】
【従来の技術】
従来より、内視鏡は医療分野や工業分野等で広く用いられている。特に挿入部が細径で可撓性を有する内視鏡を使用するときなどには、内視鏡の先端部を観察目的部位まで支障なくかつ容易に到達させるために、挿入補助装置が用いられる場合がある。
【０００３】
この種の内視鏡用挿入補助装置としては、細長の本体の内部に内視鏡の挿入部を挿通可能な通路を有し、本体自身を被検体内へ挿入する構成のものが一般的である。内部に内視鏡の挿入部を挿通した状態で本体ごと被検体内に挿入することによって、内視鏡の挿入を補助し、内視鏡先端部を容易に観察目的部位へ導くことが可能になっている。
【０００４】
従来の内視鏡用挿入補助装置の一例として、例えば米国特許 4,659,195号に示されるように、挿入補助装置自身を湾曲させることが可能な構成のものがあり、管状の本体内に湾曲操作用のワイヤを挿通したコイルシースが４本配設されている。また、この構成では、挿入補助装置内に内視鏡を挿通する際に、コイルシースの配列が装置内で乱れると内視鏡と干渉してしまい内視鏡の挿通が困難になるおそれがあるので、コイルシースの位置を規制するための螺旋管等の規制部材を設け、内外２つの螺旋管の間にコイルシースを配置することにより、内蔵物としてのコイルシースの配列の乱れを防止し、装置内にスムーズに内視鏡を挿通できるようにしている。
【０００５】
【発明が解決しようとする課題】
前述した従来の内視鏡用挿入補助装置では、細長の本体内に湾曲機構部材としての４本のコイルシースを挿通し、さらにその内側に規制部材としての螺旋管を挿通して、螺旋管の内部に内視鏡を挿通させるような構造であるため、装置構成が複雑になり、組立に手間やコストがかかってしまう問題点がある。
【０００６】
本発明は、これらの事情に鑑みてなされたもので、内蔵物の装置内での乱れを防止するための規制部材を特に設けることなく、内視鏡をスムーズに挿通可能であり、安価かつ容易に組立が可能な内視鏡用挿入補助装置を用いた内視鏡の挿入方法を提供することを目的としている。
【０００７】
【課題を解決するための手段】
本発明による内視鏡の挿入方法は、複数の内蔵物の挿通路内の配列が乱れないように、挿通路の内径Ｄg ，内視鏡挿入部の外径Ｄs ，内蔵物の直径Ｄが、
２Ｄ≧Ｄg −Ｄs ＞Ｄ
なる関係の内視鏡用挿入補助装置に、内視鏡挿入部を挿通し、内視鏡挿入部の先端部を、内視鏡挿入補助装置の先端部より突出させた状態で、被検体内へ挿入するものである。
【０００８】
【作用】
前記挿入部の挿通路の内径，内視鏡挿入部の外径，内蔵物の外接直径の寸法関係により、挿通路内において内視鏡挿入部と内蔵物との配置関係が保たれ、内蔵物の配列の乱れがない。
【０００９】
【実施例】
以下、図面を参照して本発明の実施例を説明する。
図１ないし図１１は本発明の第１実施例に係り、図１は内視鏡装置の全体構成を示す説明図、図２は内視鏡用挿入補助装置の先端部の詳細構成を示す長手軸方向断面図、図３は図２のIII−III断面図、図４は図２のIV−IV断面図、図５は図２のＶ−Ｖ断面図、図６は内視鏡用挿入補助装置の挿入部基端部における操作部との接続部分の詳細構成を示す長手軸方向断面図、図７は図６のVII−VII断面図、図８は内視鏡用挿入補助装置の操作部の詳細構成を示す断面図、図９は先端部の組立方法を説明するための組立途中の状態を示した長手軸方向断面図、図１０は挿入部先端部における湾曲ワイヤ用コイルシースと内視鏡挿入部との配置関係を示す作用説明図、図１１は挿入部先端部後方から手元側における湾曲ワイヤ用コイルシースと内視鏡挿入部との配置関係を示す作用説明図である。
【００１０】
本実施例の内視鏡用挿入補助装置を使用する内視鏡装置の全体構成を図１に示す。
【００１１】
内視鏡用挿入補助装置１は、内部に内視鏡２を挿通して内視鏡の先端部３を挿入補助装置の先端部４より突出させた状態で使用し、被検体内へ挿入するようになっている。
【００１２】
内視鏡２は、挿入部手元側の内視鏡操作部５よりライトガイドや信号線等を内蔵したユニバーサルケーブル６が延出しており、ケーブル端部に設けられた光源コネクタ７を介して照明光を供給する光源装置８に接続されている。この光源コネクタ７からは信号ケーブル９が延出し、ケーブル端部に設けられた信号コネクタ１０を介して映像信号処理を行うカメラコントロールユニット１１に接続されている。カメラコントロールユニット１１にはモニタ１２が接続され、内視鏡２によって撮像された被写体の画像がモニタ１２に表示されるようになっている。
【００１３】
前記内視鏡２は、一般的な挿入部が軟性の内視鏡と同様に湾曲機構を有しており、内視鏡操作部５に設けられた湾曲レバー１３を操作することにより内視鏡先端部３を湾曲動作させることができるようになっている。
【００１４】
また、内視鏡用挿入補助装置１においても、細長の挿入部１４に連設された操作部１５には上下方向湾曲用の湾曲操作ノブ１６と左右方向湾曲用の湾曲操作ノブ１７とが設けられており、各湾曲操作ノブを操作することにより挿入部先端側に設けた湾曲部１８を湾曲動作させ、先端部４を所望の方向へ向けることができるようになっている。
【００１５】
内視鏡用挿入補助装置１は、操作部１５手元側端部に内視鏡固定部１９を有しており、この内視鏡固定部１９において挿通した内視鏡２の挿入部基端部を固定するようになっている。
【００１６】
図２を参照して内視鏡用挿入補助装置１の先端部４近傍の詳細構成を説明する。
【００１７】
挿入部１４は、硬性の帯状部材を螺旋状に巻いて管状に形成した蛇管２１によって本体が構成されており、可撓性を有すると共にある程度の曲げ剛性を持った構造となっている。
【００１８】
蛇管２１の先端部には接続リングＡ２２が連結固定され、この接続リングＡ２２を介して、湾曲部１８を構成する複数の湾曲管が連結されている。接続リングＡ２２には湾曲管Ａ２３が嵌合して固定されており、この湾曲管Ａ２３の先端側に、湾曲管Ｂ２４，湾曲管Ｃ２５がそれぞれリベット２６，２７によって回動自在に固定されている。リベット２６の軸とリベット２７の軸とは互いに直交する方向となるように配置され、それぞれのリベットを軸として湾曲管が回動することによって上下左右方向に湾曲部１８が湾曲動作できるようになっている。以下同様にして、例えば合計１０組の湾曲管が連結されており、一般的な内視鏡の湾曲部と同様の構造の湾曲部１８が形成されている。
【００１９】
最先端の湾曲管Ｄ２８には、接続リングＢ２９が嵌合して固定されており、この接続リングＢ２９の先端側に略円筒形状で先端に向かってテーパ状に細径となった先端チップ３０が嵌合固定されている。
【００２０】
先端チップ３０にはフランジ部３１が形成されており、フランジ部３１の後端側外周に止めリング３２が回転可能に設けられている。フランジ部３１は、止めリング３２が抜け落ちないように外径が止めリング３２の最小内径よりも大きく形成されている。また、接続リングＢ２９の先端側外周にはスライドリング３３が設けられ、スライドリング３３に止めリング３２が螺合して両者が固定されるようになっている。止めリング３２は、最小内径が接続リングＢ２９の外径よりも小さくかつ先端チップ３０の後端部の外径よりも大きく形成され、止めリング３２が後端側にも移動できないようになっている。
【００２１】
スライドリング３３の外側には、挿入部１４の外周を被覆するブレード３４の先端が配置されており、このブレード３４先端外周には固定リングＢ３５が設けられ、ブレード３４の先端が固定リングＢ３５により挟み込まれてスライドリング３３に固定されている。ブレード３４は、湾曲部１８から挿入部１４の基端部まで外周部を覆い、後端が操作部１５との接続部まで延設されている。
【００２２】
また、接続リングＡ２２の後端側外周には固定リングＡ３６が設けられ、接続リングＡ２２の部分でブレード３４が固定リングＡ３６により挟み込まれて固定されている。
【００２３】
挿入部１４内には、湾曲操作を行うための湾曲ワイヤ３７が４本挿通されており、ワイヤ先端が湾曲部先端側の接続リングＢ２９にそれぞれ固定されている。湾曲ワイヤ３７は、湾曲部１８内においてそれぞれの湾曲管に固設されているガイドリング３８内を挿通されており、湾曲部１８内で配置が乱れないように位置規制されている。
【００２４】
湾曲ワイヤ３７の後端側は、挿入部１４内においてコイルシース３９内部を挿通し、操作部１５まで延出している。コイルシース３９は挿入部１４内を延設され、先端がそれぞれ接続リングＡ２２に固定されている。さらに、コイルシース３９の外側にはコイルパイプからなる補助コイルシース４０が被覆されている。
【００２５】
図３に先端チップ３０と接続リングＢ２９との連結部分の断面構成を示す。
【００２６】
先端チップ３０の後端部外周に接続リングＢ２９の先端部が嵌合し、先端チップ３０に対して接続リングＢ２９がネジ４１によって固定されている。そして、接続リングＢ２９の外周にスライドリング３３，ブレード３４，固定リングＢ３５が装着されている。ネジ４１の頭部の外側は接続リングＢ２９外周のスライドリング３３によって抑えられているため、ネジ４１が緩んだ場合においても外れることはない。
【００２７】
図４に接続リングＢ２９と湾曲管Ｄ２８との連結部分の断面構成を示す。
【００２８】
接続リングＢ２９の後端部外周に湾曲管Ｄ２８の先端部が嵌合し、接続リングＢ２９に対して湾曲管Ｄ２８がネジ４２によって固定されている。接続リングＢ２９には４本の湾曲ワイヤ３７が挿通し、ワイヤ先端が固定されている。湾曲管Ｄ２８の外周はブレード３４によって被覆されている。ネジ４２の頭部の外側にはブレード３４が設けられているため、ネジ４２が緩んだ場合においても外れて落ちることはない。
【００２９】
図５に湾曲管Ａ２３と接続リングＡ２２との連結部分の断面構成を示す。
【００３０】
接続リングＡ２２の先端部外周に湾曲管Ａ２３の後端部が嵌合し、接続リングＡ２２に対して湾曲管Ａ２３がネジ４３によって固定されている。接続リングＡ２２には湾曲ワイヤ３７を内挿した４本のコイルシース３９が挿通し、シース先端が固定されている。湾曲管Ａ２３の外周はブレード３４によって被覆されている。ネジ４３の頭部の外側にはブレード３４が位置しているため、ネジ４３が緩んだ場合においても外れて落ちることはない。
【００３１】
次に、図６を参照して挿入部１４と操作部１５との接続部分の詳細構成を説明する。
【００３２】
挿入部１４の蛇管２１の後端部は蛇管口金４５に固定され、この蛇管口金４５を介して操作部接続フレーム４６に連結されている。蛇管口金４５の外周部にはテーパ固定管４７がネジ４８によって固定されている。ブレード３４の後端は、テーパ固定管４７まで延設されており、テーパ固定管４７の外側に螺合したテーパ固定リング４９によって挟み込まれてテーパ固定管４７に固定されている。前記蛇管口金４５は、操作部接続フレーム４６に螺合した固定リング５０によって後端のフランジ部が保持されて操作部接続フレーム４６に固定されている。
【００３３】
操作部接続フレーム４６の後端部は、ネジ５１により操作部フレーム５２に固定されている。操作部接続フレーム４６の外側には外装リング５３が設けられ、ネジ５４によって操作部接続フレーム４６に固定されている。また、操作部接続フレーム４６の先端部外周には、折れ止め固定金具５５が螺合して取り付けられており、この折れ止め固定金具５５によって折れ止め５６が操作部接続フレーム４６に固定されている。折れ止め固定金具５５に固着された折れ止め５６は、先端に向かってテーパ状に形成されており、蛇管２１及びブレード３４の後端部，テーパ固定管４７，テーパ固定リング４９を被覆している。
【００３４】
操作部接続フレーム４６の内側には、位置決め金具５７が固定されている。位置決め金具５７は、図７に示すように、外周側に偏心して位置した円形状の内視鏡挿通孔５８と、この内視鏡挿通孔５８の側部に沿って位置した円弧状のシース挿通孔５９との２つの挿通孔を有している。位置決め金具５７は、ネジ６０によって操作部接続フレーム４６に固定されている。
【００３５】
位置決め金具５７のシース挿通孔５９には、４本の補助コイルシース４０が並んで挿通されている。補助コイルシース４０は、位置決め金具５７の後方近傍で終端し、内部のコイルシース３９のみが操作部１５内を挿通している。また、位置決め金具５７の内視鏡挿通孔５８には、内視鏡ガイドコイル６１が挿通されている。
【００３６】
次に、図８を参照して操作部１５の詳細構成を説明する。図８において、（ａ）は操作部の長手軸方向断面図、（ｂ）は（ａ）に対して操作部を９０度回転させた方向から見た内視鏡固定部近傍の一部切り欠き断面図である。
【００３７】
操作部における湾曲機構の構造は、詳細は図示しないが一般の内視鏡と同様に、湾曲操作ノブ１６，１７の回転軸に湾曲ワイヤ３７の端部が巻回されて固定された構成となっており、湾曲操作ノブ１６，１７の操作により挿入部１４内に挿通された湾曲ワイヤ３７を牽引、弛緩して湾曲部１８を湾曲させることができるようになっている。
【００３８】
操作部フレーム５２の内側には内部フレーム６２が固定されており、操作部内の図示しない湾曲機構がこの内部フレーム６２に固定されて配設されている。また、操作部フレーム５２内には内部フレーム６２の側部を前記内視鏡ガイドコイル６１が挿通されている。
【００３９】
操作部フレーム５２の後端部には、取付座６３を介して内視鏡ガイド受け６４がネジ止め固定されており、内視鏡ガイド受け６４の先端側には内視鏡ガイドコイル６１が接続固定されている。内視鏡ガイド受け６４の後端側には、先端部内側にフランジ部を形成した抜け止めリング６５が嵌合してネジ止め固定されており、この抜け止めリング６５の内側には内視鏡固定筒６６が回転自在に挿入されている。内視鏡固定筒６６の先端部には回転抜け止め６７がネジ止め固定されて内視鏡ガイド受け６４内に収納されている。回転抜け止め６７の外径は、抜け止めリング６５の内側フランジ部の内径よりも大きくなっているため、内視鏡固定筒６６は内視鏡ガイド受け６４及び抜け止めリング６５内で回転可能であるが後端側へ抜け落ちることはない。
【００４０】
抜け止めリング６５と内視鏡固定筒６６との間には、スペーサ６８で位置決めされた前後一対のフリクションリング６９が挟み込まれて配設されており、抜け止めリング６５に対して内視鏡固定筒６６の回転に所定の摩擦力を与えるようになっている。
【００４１】
内視鏡固定筒６６の外周部には、内視鏡固定ネジ７０が螺合して設けられており、図８の（ｂ）において二点鎖線で示す内視鏡２を内視鏡固定ネジ７０で挟み付けて固定できるようになっている。内視鏡ガイド受け６４，回転抜け止め６７，内視鏡固定筒６６には、内視鏡挿入部７１を挿通可能な挿通孔が形成されており、内視鏡ガイドコイル６１へ連通している。
【００４２】
ここで、図９を参照して先端部４の組立方法について説明する。
【００４３】
組み立て際には、まず接続リングＡ２２にコイルシース３９の先端を固定する。次いで、接続リングＡ２２の先端側に複数の湾曲管で構成される湾曲部１８を連結固定することによって、湾曲部１８を接続リングＡ２２を介して挿入部１４の蛇管２１に組み付ける。
【００４４】
次に、予め湾曲ワイヤ３７の先端を接続リングＢ２９に固定しておき、湾曲ワイヤ３７をコイルシース３９内に挿通する。次いで、接続リングＢ２９を先端の湾曲管Ｄ２８に差し込んでネジ４２により固定する。
【００４５】
そして、予めブレード３４の先端を固定リングＢ３５によりスライドリング３３に固定しておき、スライドリング３３を接続リングＢ２９に装着した後、ブレード３４を先端側から挿入部１４全体に被せる。このとき、スライドリング３３を接続リング後端側の湾曲管へ突き当たるまで差し込むことにより、ネジ４１を止めるためのスペースが確保できる。この状態で、止めリング３２と先端チップ３０とを接続リングＢ２９の先端側にはめ込んで先端チップ３０をネジ４１で固定する。
【００４６】
次に、図９のように後端側にずらしておいたスライドリング３３を図２のように先端側に移動させ、止めリング３２回転させながらネジ部を噛み合わせ固定する。
【００４７】
このように、本実施例の構成によれば内視鏡用挿入補助装置の挿入部先端部を容易に組み立てることができる。なお、構成の説明の中で述べたように、先端部４においては各部の固定用のネジが緩んだだけでは部品が脱落することのないような構造になっている。
【００４８】
図１０及び図１１を参照して挿入部内部における内視鏡挿入部７１とコイルシース３９及び補助コイルシース４０との配置関係を説明する。図１０は挿入部先端側の図２におけるＶ−Ｖ断面に近い範囲での挿入部内部断面を、図１１は図１０に示した部分より後方から手元側にかけての挿入部の内部断面をそれぞれ示したものである。
【００４９】
挿入部先端部においては、図５に示したように４本のコイルシース３９が周方向に等間隔に配置され接続リングＡ２２に固定されて後方に延出しているため、挿入部先端部では図１０に示すように、蛇管２１内において中央に配置された内視鏡挿入部７１の外側にコイルシース３９が略９０度ごとに４本振り分けられて配置される。そしてコイルシース３９の外側が蛇管２１の内径によって規制されている。
【００５０】
挿入部基端部においては、図７に示したように位置決め金具５７において４本のコイルシース３９及び補助コイルシース４０が一方に偏って挿通されその側部に内視鏡ガイドコイル６１が挿通しているため、挿入部手元側から先端側の接続リングＡ２２手前までにかけては図１１に示すように、蛇管２１内において内視鏡挿入部７１は中心になく端に寄せられて配置され、残りの側部の空間に補助コイルシース４０が４本並んで収納配置される。そして内視鏡挿入部７１及び補助コイルシース４０の外側が蛇管２１の内径によって規制されている。
【００５１】
蛇管２１の内径をＤg 、内視鏡挿入部７１の外径をＤs 、コイルシース３９の外径をＤc 、補助コイルシース４０の外径をＤe とすると、
Ｄg ＞Ｄs ＋２Ｄc   すなわち    Ｄg −Ｄs ＞２Ｄc   …（１）
この関係を満たすようにコイルシース３９の外径を決定し、
Ｄg ＞Ｄs ＋Ｄe   かつ    Ｄg ≦Ｄs ＋２Ｄe
すなわち、
Ｄg −Ｄs ＞Ｄe   かつ    Ｄg −Ｄs ≦２Ｄe         …（２）
この関係を満たすように補助コイルシース４０の外径を決定する。
【００５２】
内視鏡を使用時に被検体内に挿入する際には、内視鏡用挿入補助装置１の内部に内視鏡２を挿入し、図８に示す内視鏡固定部１９の位置において内視鏡を固定する。このとき、内視鏡挿入部７１は、内視鏡固定筒６６，回転抜け止め６７，内視鏡ガイド受け６４，内視鏡ガイドコイル６１を通り、蛇管２１内に挿通される。
【００５３】
図６に示す蛇管２１の後端から図２に示す蛇管２１先端部の補助コイルシース４０の先端側終端近傍の部分までは、内視鏡挿入部７１は図１１に示すような配置関係を保ったまま蛇管２１内にスムーズに挿通される。このとき、補助コイルシース４０の外径Ｄe は、２Ｄe ≧Ｄg −Ｄs ＞Ｄe の関係を満たす大きさとなっているので、内視鏡挿入部７１の側部の残りの空間において補助コイルシース４０が移動して交差するなどの余裕はなく、蛇管２１内において補助コイルシース４０の配列が乱れることはない。
【００５４】
また、蛇管２１先端部において補助コイルシース４０終端近傍からコイルシース３９が固定されている接続リングＡ２２の部分までの間は、約２０から５００mmほどの距離Ｌが取られており、この区間でコイルシース３９の配置が図１１の状態から図１０の状態に移行する。ここで距離Ｌはコイルシース３９の配列が乱れるほど長い距離ではないので、コイルシース３９が交差することもなく、内視鏡挿入部７１は蛇管２１内において引っかかることなく先端部４までスムーズに挿入できる。
【００５５】
内視鏡用挿入補助装置１に内視鏡２を挿入完了すると図１に示すような状態となり、このまま挿入補助装置の挿入部１４ごと被検体内に挿入して観察目的部位に導くことで内視鏡の挿入補助が可能となる。このとき、内視鏡２の湾曲レバー１３による湾曲操作に加えて、湾曲操作ノブ１６，１７によって行う内視鏡用挿入補助装置１の湾曲操作も使用して先端部を所望の部位に向けて観察を行うことができる。
【００５６】
なお、コイルシース３９の外側を被覆する補助コイルシース４０としては、コイルパイプに代えて、ＰＴＦＥからなるチューブを用いても良い。ＰＴＦＥチューブで被覆することにより、蛇管２１内の内蔵物であるコイルシースの動きが良くなり、挿入部をより柔軟にすることができる。
【００５７】
また、コイルシース３９の外側に補助コイルシース４０を被せる構成に代えて、挿入部内で外径の異なるコイルシースを連結した構成としても良い。このように太さの異なるコイルシースをつなぐことによりコイルシースに補助コイルシースを巻く手間を省くことができ、組立を容易にすることができる。
【００５８】
以上説明したように本実施例によれば、湾曲機構を有する内視鏡用挿入補助装置において、湾曲機構部材の一部である内蔵物としての湾曲ワイヤ挿通用コイルシースと内視鏡との装置内での干渉を防ぐことができ、内視鏡挿入部を先端部までスムーズに挿通することが可能となる。本実施例の構成では、内蔵物の装置内での乱れを防止するために、湾曲ワイヤが挿通したコイルシースの位置を規制するための螺旋管などの特別な機構が不要となるため、構造が簡単であり、装置の組立も容易にでき、安価に構成できる。
【００５９】
また、先端部において、各部材を固定するネジは挿入部外周を被覆するブレードをずらすことで初めて露呈するような構成としたため、組立後にブレードを被せてしまえば固定用のネジが緩んでも部品が外れて落ちるおそれがない。
【００６０】
図１２及び図１３は本発明の第２実施例に係り、図１２は内視鏡用挿入補助装置の挿入部基端部における操作部との接続部分の詳細構成を示す長手軸方向断面図、図１３は挿入部手元側における湾曲ワイヤ用コイルシースと内視鏡挿入部との配置関係を示す作用説明図である。
【００６１】
第２実施例は、第１実施例の構成のうち蛇管とコイルシースの構成を変更した例である。ここでは挿入部後端側の操作部との接続部分の構成のみを示し、第１実施例と異なる部分についてのみ説明する。
【００６２】
内視鏡用挿入補助装置の挿入部における蛇管２１の内側には、さらに蛇管２１より細径の補助蛇管８１が挿入部内径設定部材として設けられ、蛇管２１内に挿通されている。補助蛇管８１の後端部は補助蛇管口金８２に固定され、蛇管口金４５と共に操作部接続フレーム４６に連結固定されている。また、コイルシース３９は第１実施例のように補助コイルシース４０が外側に被覆されておらず、コイルシース３９のみで補助蛇管８１内を挿通されて位置決め金具５７を通って後方の操作部まで延出している。
【００６３】
その他の部分は第１実施例と同様の構成であり、詳細な説明を省略する。
【００６４】
第１実施例では、コイルシース３９の外側にコイルシースの外径を太くするための補助コイルシース４０を被せた構成を用いたが、第２実施例では、コイルシース３９はそのままにして蛇管２１の内側に補助蛇管８１を設け、実質的に蛇管の内径を小さくしてコイルシースの外径との関係を同様に保つようにした構成となっている。
【００６５】
挿入部内部における内視鏡挿入部７１とコイルシース３９との配置関係を図１３に示す。挿入部先端部より後端側は、図１１に示した第１実施例と略同様に、蛇管２１内において内視鏡挿入部７１は端部に偏って配置され、側部の空間にコイルシース３９が４本並んで収納配置される。そして内視鏡挿入部７１及びコイルシース３９の外側が補助蛇管８１の内径によって規制されている。
【００６６】
ここで補助蛇管８１の内径をＤg ′、内視鏡挿入部７１の外径をＤs 、コイルシース３９の外径をＤc とすると、
Ｄg ′−Ｄs ＞Ｄc   かつ    Ｄg ′−Ｄs ≦２Ｄc         …（３）
の関係を満たすようになっており、第１実施例と同様の作用効果を得ることができる。
【００６７】
コイルシース３９に補助コイルシース４０を被せることは作業に手間がかかるが蛇管２１の内側に補助蛇管８１を挿通することは比較的簡単であるので、本実施例の構成によれば、第１実施例に比べてより組立が簡単となり、組立コストを抑えることができ、装置の組立を容易にしてかつ原価を安くすることができる。
【００６８】
なお、挿入部内径設定部材としては、挿入部本体の蛇管と同様の構成の補助蛇管に代えて、コイルシースとかＰＴＦＥチューブを用いて構成しても良い。この構成では、挿入部の構造をより簡単にすることができる。特にＰＴＦＥチューブを用いた場合は、湾曲ワイヤ用コイルシースなどの内蔵物の動きを良くすることができる。
【００６９】
［付記］
以上詳述したように本発明の実施態様によれば、以下のような構成を得ることができる。すなわち、
（１）  内部に外径Ｄs の内視鏡挿入部を挿通し内視鏡の挿入補助をするための内径Ｄg の挿通路を有し、前記挿通路内部に外接直径Ｄの複数の内蔵物を有する細長の挿入部を備えた内視鏡用挿入補助装置において、
前記挿入部の挿通路の内径Ｄg ，前記内視鏡挿入部の外径Ｄs ，前記内蔵物の外接直径Ｄが、
２Ｄ≧Ｄg −Ｄs ＞Ｄ
なる関係を満たすことを特徴とする内視鏡用挿入補助装置。
【００７０】
（２）  内部に外径Ｄs の内視鏡挿入部を挿通し内視鏡の挿入補助をするための挿通路を有し、前記挿通路内部に外接直径Ｄの複数の内蔵物を有する細長の挿入部を備えた内視鏡用挿入補助装置において、
前記内視鏡挿入部の外径Ｄs ，前記内蔵物の外接直径Ｄに対して、
２Ｄ≧Ｄg −Ｄs ＞Ｄ
なる関係を満たす内径Ｄg を持った挿入部内径設定部材を前記挿入部の挿通路内に設けたことを特徴とする内視鏡用挿入補助装置。
【００７１】
（３）  前記挿入部は先端部に湾曲部を有し、この湾曲部を湾曲させる湾曲機構を装置内に備えており、前記複数の内蔵物として前記湾曲機構の構成部材を前記挿通路内部に設けたことを特徴とする付記１に記載の内視鏡用挿入補助装置。
【００７２】
（４）  前記複数の内蔵物は、前記挿入部先端に設けた湾曲部を湾曲させるためのワイヤを挿通するコイルシースである付記１に記載の内視鏡用挿入補助装置。
【００７３】
（５）  前記複数の内蔵物は、前記コイルシースの外側に設けたコイルパイプを含む付記４に記載の内視鏡用挿入補助装置。
【００７４】
（６）  前記複数の内蔵物は、前記コイルシースの外側に設けたＰＴＦＥチューブを含む付記４に記載の内視鏡用挿入補助装置。
【００７５】
（７）  前記複数の内蔵物は、前記挿入部先端に設けた湾曲部を湾曲させるためのワイヤを挿通するコイルシースであり、前記挿入部内において外径が異なるコイルシースを連結したものを含む付記１に記載の内視鏡用挿入補助装置。
【００７６】
（８）  前記挿入部内径設定部材は、前記挿入部の挿通路の内径より細径の管状部材である付記２に記載の内視鏡用挿入補助装置。
【００７７】
（９）  前記挿入部内径設定部材は、前記挿入部本体と同じ構造の部分を有する付記２に記載の内視鏡用挿入補助装置。
【００７８】
（１０）  前記挿入部は管状部材で構成され、前記挿入部内径設定部材は前記挿入部本体と同じ構造の管状部材を含んで構成される付記２に記載の内視鏡用挿入補助装置。
【００７９】
（１１）  前記挿入部内径設定部材は、コイルシースである付記２に記載の内視鏡用挿入補助装置。
【００８０】
（１２）  前記挿入部内径設定部材は、ＰＴＦＥチューブである付記２に記載の内視鏡用挿入補助装置。
【００８１】
【発明の効果】
以上説明したように本発明によれば、内蔵物の装置内での乱れを防止するための規制部材を特に設けることなく、内視鏡をスムーズに挿通可能であり、安価かつ容易に組立が可能な装置を提供できる効果がある。
【図面の簡単な説明】
【図１】本発明の実施例に係る内視鏡装置の全体構成を示す説明図
【図２】本発明の実施例に係る内視鏡用挿入補助装置の先端部の詳細構成を示す長手軸方向断面図
【図３】図２のIII−III断面図
【図４】図２のIV−IV断面図
【図５】図２のＶ−Ｖ断面図
【図６】第１実施例に係る内視鏡用挿入補助装置の挿入部基端部における操作部との接続部分の詳細構成を示す長手軸方向断面図
【図７】図６のVII−VII断面図
【図８】内視鏡用挿入補助装置の操作部の詳細構成を示す断面図
【図９】先端部の組立方法を説明するための組立途中の状態を示した長手軸方向断面図
【図１０】第１実施例に係る挿入部先端部における湾曲ワイヤ用コイルシースと内視鏡挿入部との配置関係を示す作用説明図
【図１１】第１実施例に係る挿入部先端部後方から手元側における湾曲ワイヤ用コイルシースと内視鏡挿入部との配置関係を示す作用説明図
【図１２】第２実施例に係る内視鏡用挿入補助装置の挿入部基端部における操作部との接続部分の詳細構成を示す長手軸方向断面図
【図１３】第２実施例に係る挿入部手元側における湾曲ワイヤ用コイルシースと内視鏡挿入部との配置関係を示す作用説明図
【符号の説明】
１…内視鏡用挿入補助装置
２…内視鏡
１４…挿入部
１５…操作部
１８…湾曲部
１９…内視鏡固定部
２１…蛇管
３７…湾曲ワイヤ
３９…コイルシース
４０…補助コイルシース
５７…位置決め金具
６１…内視鏡ガイドコイル
７１…内視鏡挿入部
【図１】
0003730674.tif 000002
【図２】
0003730674.tif 000003
【図３】
0003730674.tif 000004
【図４】
0003730674.tif 000005
【図５】
0003730674.tif 000006
【図６】
0003730674.tif 000007
【図７】
0003730674.tif 000008
【図８】
0003730674.tif 000009
【図９】
0003730674.tif 000010
【図１０】
0003730674.tif 000011
【図１１】
0003730674.tif 000012
【図１２】
0003730674.tif 000013
【図１３】
0003730674.tif 000014